(57)【特許請求の範囲】
【請求項１】
睫毛を上下の挟持片１１、１２で挟み成形する成形部１０と、手で操作するための把持部２０と、成形部１０と把持部２０とを連結すると共に下挟持片１２を上下動自在とする連結機構部３０とから構成され、睫毛を上下の挟持片１１、１２で挟持する際に睫毛の間に進入し睫毛を分散させて整える睫毛整列手段４１を備えたビューラー１であって、嵌合用の連結用部４２を用いて前記睫毛整列手段４１を前記下挟持片１２に着脱自在に取り付けるようにすると共に、前記睫毛整列手段４１を、コイル若しくは並列するリングからなる整毛部４１ａと、該整毛部４１ａを前記連結用部４２に固定するための心棒４１ｂとで構成し、且つ前記心棒４１ｂを用いて前記コイル若しくは並列するリングを瞼に沿った湾曲形状にしてあることを特徴とするビューラー。
【請求項２】
睫毛を上下の挟持片１１、１２で挟持する際に睫毛の間に侵入し睫毛を分散させて整える睫毛整列手段４１を備えたビューラー用取り替えアダプターであって、下挟持片１２に着脱自在に嵌め合わせるための連結用部４２を備え、前記睫毛整列手段４１を、コイル若しくは並列するリングからなる整毛部４１ａと、該整毛部４１ａを前記連結用部４２に固定するための心棒４１ｂとで構成し、且つ前記心棒４１ｂを用いて前記コイル若しくは並列するリングを瞼に沿った湾曲形状にしてあることを特徴とするビューラー用取り替えアダプター。
【発明の詳細な説明】
【技術分野】
【０００１】
本発明は、睫毛を分散させて整えることができるビューラー及びビューラーに着脱容易で睫毛を分散させて整えることができるビューラー用取り替えアダプターに関する。
【背景技術】
【０００２】
従来、ビューラーとしては、下記特許文献１に示すものがある。またビューラー用替えゴムとして、下記特許文献１に示されているゴム等の弾性材がある。
下記特許文献１に示すビューラーは、睫毛を挟みこむ上下挟圧体を支持する支持体が障害となることなく睫毛を好適にカールできるメリットがある。
また下記特許文献１に示すゴム等の弾性材は、取り替え可能であるというメリットがある。
【特許文献１】特許第３１４３４１０号公報
【発明の開示】
【発明が解決しようとする課題】
【０００３】
しかしながら上記特許文献１に示すビューラーでは、睫毛を分散させて整えることができないという問題があった。
またビューラー用替えゴムとしてのゴム等の弾性材は一般的にあるものの、ビューラーに着脱容易で睫毛を分散させて整えることができるビューラー用取り替えアダプターというものはなかった。
【０００４】
そこで本発明は上記従来における問題点を解決し、睫毛を分散させて整えることができるビューラー及びビューラーに着脱容易で睫毛を分散させて整えることができるビューラー用取り替えアダプターの提供を課題とする。
【課題を解決するための手段】
【０００５】
本発明のビューラーは、睫毛を上下の挟持片１１、１２で挟み成形する成形部１０と、手で操作するための把持部２０と、成形部１０と把持部２０とを連結すると共に下挟持片１２を上下動自在とする連結機構部３０とから構成され、睫毛を上下の挟持片１１、１２で挟持する際に睫毛の間に進入し睫毛を分散させて整える睫毛整列手段４１を備えたビューラー１であって、嵌合用の連結用部４２を用いて前記睫毛整列手段４１を前記下挟持片１２に着脱自在に取り付けるようにすると共に、前記睫毛整列手段４１を、コイル若しくは並列するリングからなる整毛部４１ａと、該整毛部４１ａを前記連結用部４２に固定するための心棒４１ｂとで構成し、且つ前記心棒４１ｂを用いて前記コイル若しくは並列するリングを瞼に沿った湾曲形状にしてあることを第１の特徴としている。
また本発明のビューラー取り替え用アダプターは、睫毛を上下の挟持片１１、１２で挟持する際に睫毛の間に侵入し睫毛を分散させて整える睫毛整列手段４１を備えたビューラー用取り替えアダプターであって、下挟持片１２に着脱自在に嵌め合わせるための連結用部４２を備え、前記睫毛整列手段４１を、コイル若しくは並列するリングからなる整毛部４１ａと、該整毛部４１ａを前記連結用部４２に固定するための心棒４１ｂとで構成し、且つ前記心棒４１ｂを用いて前記コイル若しくは並列するリングを瞼に沿った湾曲形状にしてあることを第２の特徴としている。
【発明の効果】
【０００６】
上記本発明の第１の特徴によるビューラーによれば、睫毛を上下の挟持片を挟み成形する成形部を備える構成としてあることから、上下の挟持片でしっかりと睫毛を挟み成形することができる。
また手で操作するための把持部を備える構成としてあることから、把持部によりビューラーを手で容易に操作することができる。
また成形部と把持部とを連結すると共に下挟持片を上下動自在とする連結機構部を備える構成としてあることから、連結機構部により成形部と把持部とを確実に連結させることができる。また下挟持片を上下動自在とすることで、上挟持片とで睫毛を自由に挟んだり離したりすることができる。
【０００７】
特に嵌合用の連結用部を用いて睫毛整列手段を下挟持片に着脱自在に取り付けるようにすることで、睫毛整列手段を連結用部に嵌め合わせるだけで、着脱容易に下挟持片に取り付けることができる。
加えて、前記睫毛整列手段を、コイル若しくは並列するリングからなる整毛部と、該整毛部を前記連結用部に固定するための心棒とで構成していることにより、肌を傷つけることを防止しながら睫毛の整毛を行うことができると共に、心棒により整毛部を連結用部に取り付けることができる。
【０００８】
更に前記心棒を用いて前記コイル若しくは並列するリングを瞼に沿った湾曲形状にしていることにより、固定用の心棒を兼用して、コイルやリングからなる整毛部の形状を瞼に沿った形にすることができる。
【０００９】
上記本発明の第２の特徴によるビューラー用取り替えアダプターによれば、睫毛を上下の挟持片で挟持する際に睫毛の間に侵入し睫毛を分散させて整える睫毛整列手段を備えているので、睫毛整列手段により確実に睫毛を分散させて整えることができる。
また下挟持片に着脱自在に嵌め合わすための連結用部材を備えているので、連結用部によりビューラー用取り替えアダプターを下挟持片と着脱自在なものとすることができる。
【００１０】
加えて、前記睫毛整列手段を、コイル若しくは並列するリングからなる整毛部と、該整毛部を前記連結用部に固定するための心棒とで構成していることにより、肌を傷つけることを防止しながら睫毛の整毛を行うことができると共に、心棒により整毛部を連結用部に取り付けることができる。
【００１１】
更に前記心棒を用いて前記コイル若しくは並列するリングを瞼に沿った湾曲形状にしていることにより、固定用の心棒を兼用して、コイルやリングからなる整毛部の形状を瞼に沿った形にすることができる。
【発明を実施するための最良の形態】
【００１５】
以下の図面を参照して、本発明の実施形態に係るビューラー及びビューラー用取り替えアダプターについて説明する。なお図３以下においては、説明の便宜上、コイルを構成する輪の数を図１、図２に比べて少なく図示するものとする。
図１は本発明の実施形態に係るビューラーの正面図、図２は本発明の実施形態に係るビューラーの右側面図、図３は本発明の実施形態に係るビューラーの成形部の拡大斜視図、図４は本発明の実施形態に係るビューラーの成形部の拡大分解図である。図５は本発明の実施形態に係るビューラーの成形部の使用状態を示す部分拡大図で、（ａ）は正面図、（ｂ）は平面図、（ｃ）は右側面図である。図６は図３のＡ−Ａ断面図である。図７は本発明の実施形態に係るビューラーにおける取り替えアダプターの変形例１の部分拡大図、図８は本発明の実施形態に係るビューラーにおける取り替えアダプターの変形例２の部分拡大図、図９は本発明の実施形態に係るビューラーにおける取り替えアダプターの変形例３の部分拡大図、図１０は本発明の実施形態に係るビューラーにおける取り替えアダプターの変形例４の部分拡大図である。
【００１６】
まず図１〜図４を参照して、本発明の実施形態に係るビューラー１について説明する。
ビューラー１は、睫毛を分散させた状態で整えるためのものである。このビューラー１は成形部１０と、把持部２０と、連結機構部３０と、取り替えアダプター４０とから構成される。
【００１７】
前記成形部１０は、睫毛を挟んで成形するためのものである。
この成形部１０は上挟持片１１と、下挟持片１２と、替えゴム１３とから構成される。
【００１８】
前記上挟持片１１は、ビューラー１を瞼に当てて位置決めすると共に、下挟持片１２と協同で睫毛を上側から挟むためのものである。この上挟持片１１は薄い切り刃状の金属板で構成され、瞼と略同形状となるように中央部を外側に湾曲させた形状としてある。なお、ここで及び以下の説明において「外側」とは、瞼から遠ざかる方向を意味し、「内側」とは、瞼に近づく方向を意味するものとする。
また上挟持片１１は、その左右両端に突起片１１ａを有し、該突起片１１ａを後述の連結機構部３０の支持体３１の嵌合溝３１ａに嵌入させることで、該支持体３１と連結される。
【００１９】
前記下挟持片１２は、上挟持片１１と協同で睫毛を下側から挟むためのものである。この下挟持片１２は、瞼と略同一に湾曲させた形状としてある。また下挟持片１２は上挟持片１１よりも平面視幅広な形状としてある。図６に示すように、下挟持片１２は下外側凸片１２ａと内側凸片１２ｂを有する断面視コ字を上向きにした箱型形状であり、替えゴム１３と後述の取り替えアダプター４０の連結用部４２とを着脱可能としてある。
このような構成とすることで、下挟持片１２と連動させて替えゴム１３と連結用部４２に取り付けられる睫毛整列手段４０とを一体的に可動させることができる。
また図３に示すように、下挟持片１２はその両端部に挿通孔１２ｃを有し、該挿通孔１２ｃに連結機構部３０の支持体３１を挿通させてある。このような構成とすることで、下挟持片１２を支持体３１に沿わせて上下動させることができる。また図４に示すように、底部に後述の連結機構部３０の連動部材３２を連結するための嵌入穴１２ｄを有し、該嵌入穴１２ｄに連動部材３２の上端部を嵌入することで連動部材３２を連結してある。
【００２０】
前記替えゴム１３は下挟持片１２に取り付けられ、上挟持片１１と協同して睫毛を下側から挟むためのものである。この替えゴム１３は、図３〜図６に示すように、連結用部４２よりも幅広で且つ下挟持片１２において上挟持片１１との挟持部分に取り付けられる。このような構成とすることで、下挟持片１２に取り付けられた替えゴム１３が睫毛を挟持する際に台座となり、上挟持片１１とで睫毛を確実且つ効率よく挟むことができる。
替えゴムとしては、ビューラー用替えゴムとして一般的に用いられているものを用いることができる。その大きさ、太さ等は適宜変更可能であるが、図６に示すように、少なくとも断面視横方向の最長部分が下挟持片１２の内側凸片１２ｂから連結用部４２までの幅と略同一であることが必要である。
【００２１】
前記把持部２０は、ビューラー１を把持可能とすると共に、連結機構部３０により成形部１０と連結されることで成形部１０を操作するためのものである。この把持部２０は、図２に示すように、第１アーム２１と、第２アーム２２とから構成される。
【００２２】
前記第１アーム２１は、ビューラー１を把持可能とすると共に、連結機構部３０と連結されることで主として上挟持片１１を操作可能とするためのものである。この第１アーム２１は、その下端部に指を通すことのできる指穴を有し、その中途部にピン３３を挿通させる挿通穴を有してある。
なお本実施例においては、図２に示すように、第１アーム２１はスチール等の金属製線材を屈曲することで支持体３１と１部材で形成されてある。
【００２３】
前記第２アーム２２は、ビューラー１を把持可能とすると共に、連結機構部３０と連結されることで下挟持片１２を操作可能とするためのものである。この第２アーム２２は、その下端部に指を通すことのできる指穴を有し、その上端部に連動部材３２を連結させるための連結穴を有してある。またその中途部にピン３３を挿通させる挿通穴を有し、該挿通穴と第１アーム２１に設けられた挿通穴とを合せた状態でピン３３を挿通させることで支持体３１と連結される。よって第１アーム２１は支持体３１と１部材で形成されるところ、ピン３３を支点として第１、第２アーム２１、２２を可動させることができる。また本実施例においては、第２アーム２２はスチール等の金属製線材を屈曲することで成型される。
【００２４】
前記連結機構部３０は、成形部１０と把持部２０とを連結すると共に、下挟持片１２を上下動自在とするためのものである。この連結機構部３０は、図１、図２に示すように、支持体３１と、連動部材３２と、ピン３３とから構成される。
【００２５】
前記支持体３１は、上挟持片１１と第１アーム２１とを相互に連結させるためのものである。この支持体３１は略Ｕ字状の形状をした１対の細長い棒状部材で構成され、既述したように第１アーム２１と１部材で形成されてある。また図２、図３に示すように、その上部に上挟持片１１を支持体３１で挟むように連結させるための１対の嵌合穴３１ａを有し、上挟持片１１の左右両端に有する突起片１１ａを該嵌合穴３１ａに嵌合させることで上挟持片１１を連結させる。よって第１アーム２１を可動させることで，上挟持片１１を連動させて可動させることができる。また本実施例においては、支持体３１はスチール等の金属製線材を屈曲することで成型される。
【００２６】
前記連動部材３２は、下挟持片１２と第２アーム２２とを相互に連結させるためのものである。この連動部材３２は，図１に示すように、細長い棒状部材を下端で折り返して略Ｖ字状に構成されてある。また、その折り返し部分が第２アーム２２の上端部に設けてある連結穴に挿通されることで第２アーム２２と相互に連結される。また、その上端部を下挟持片１２に設けてある嵌入穴１２ｄに嵌入させることで、下挟持片１２と相互に連結される。
このように連動部材３２により、下挟持片１２と第２アーム２２とが相互に連結されるので、第２アームを、ピン３３を支点として可動させることで下挟持片１２を支持体３１に沿わせて上下動させることができる。また本実施例においては、連動部材３２はスチール等の金属製線材を屈曲することで成型される。
【００２７】
前記取り替えアダプター４０は、ビューラー１の下挟持片１２に装着することで睫毛を分散させて整えることを可能とするものである。この取り替えアダプター４０は、図３、図４に示すように、睫毛整列手段４１と、連結用部４２とから構成される。
【００２８】
前記睫毛整列手段４１は、上下の挟持片１１、１２で睫毛を挟持する際に、睫毛の間に進入して睫毛を分散させて整えるためのものである。
この睫毛整列手段４１は、整毛部４１ａと、心棒４１ｂとから構成される。
【００２９】
前記整毛部４１ａは、上下の挟持片１１、１２で睫毛を挟持する際に睫毛の間に進入して睫毛を分散させて整えるためのものである。
本実施例においては、整毛部４１ａは一定のピッチを有するコイルで構成されてある。このように整毛部４１ａをコイルとし、それぞれの輪が一定のピッチで配置されることで、上下の挟持片１１、１２で睫毛を挟む際に、図５の（ａ）、（ｂ）に示すように、整毛部４１ａを構成するコイルが睫毛の間に進入し、睫毛を１本若しくは少数本ずつにピッチ幅で確実に分散させることができる。即ち上下の挟持片１１、１２で睫毛を挟持する際に、睫毛がダマになった状態で挟持されることを確実に防止し、放射状にセパレートされた状態で挟持させることができる。よって睫毛がダマになった状態で挟持される場合に比べて、睫毛１本１本に確実に挟持力を伝えることが可能となり、毛先まで一段としっかりと癖付けを行うことができる。睫毛が毛先までしっかりと癖付けされることで、マスカラの塗布もより滑らかに且つ効果的に行うことができる。また癖付けさせにくい目尻、目頭、下睫毛の癖付けも一段と容易に行うことができる。また睫毛がダマにならないことで、睫毛の全体量をより多く見せることが可能となる。
【００３０】
通常、ビューラーを使用して睫毛を癖付けする場合、睫毛の根元から序々に毛先に向かって複数回ビューラーで睫毛を挟持させて行う。しかし睫毛がダマになった状態では、ダマの部分にビューラーの挟持力がより多く働き易くなり、結果的に睫毛がダマになった状態で抜け易いという弊害が生じる。これに比べて睫毛が放射状にセパレートされた状態で挟持できることで、ビューラー１の挟持力が部分的に強くなるようなことを確実に防止することができる。よってビューラー１の使用時における睫毛の抜けを防止することができる。またマスカラを塗布させた状態でビューラー１を使用する場合には、通常のビューラーでは睫毛が一段とダマになり易く、睫毛の整毛が非常に困難若しくは失敗し易いところ、このようなことを確実に防止し、思い通りの美しい睫毛の仕上がり状態を実現させることが可能となる。
【００３１】
また図３〜図５に示すように、整毛部４１ａは心棒４１ｂに取り付けられて連結用部４２に取り付けられるが、整毛部４１ａがコイルであることで、心棒４１ｂの形状に容易に且つ確実に同調させて変形させることができる。よって心棒４１ｂを連結用部４２の湾曲に沿わせて取り付けるだけで、整毛部４１ａを連結用部４２の湾曲に沿わせて取り付けることができる。これにより図５の（ａ）、（ｂ）に示すように、コイルを構成する個々の輪を中央部から両端に向かって外側へ緩やかに傾斜させ、放射状に広げた状態で下挟持片１２に固定させることができる。
連結用部４２の湾曲は、瞼と略同一に湾曲させた下挟持片１２の湾曲と同一であるので、中央部から目尻に向かって外側へ緩やかに広がるように放射状に生えている睫毛の１本１本にフィットさせて整毛部４１ａを進入させることができる。従って一段と睫毛を１本若しくは数本ずつに確実に分散させることができる。
【００３２】
また図５の（ｂ）に示すように、整毛部４１ａは連結用部４２に取り付けられることで、上下の挟持片１１、１２の挟持部分よりも外側で且つ上下の挟持片１１、１２での挟持時に睫毛を整列可能な位置に配置される。つまり図５の（ｃ）に示すように、整毛部４１ａは下挟持片１２の上面よりも上で且つ上下の挟持片１１、１２の挟持部分よりも外側に配置される。
ビューラー１で睫毛を挟持するには、まず上挟持片１１を瞼に押し付け、その後下挟持片１２を上挟持片１１へと近づけていくことで睫毛を挟む。その際、整毛部４１ａが下挟持片１２の上面よりも上に配置されてあるので、まず整毛部４１ａを下挟持片１２よりも先に睫毛の間に進入させて睫毛を分散させることができる。更に整毛部４１ａは上下の挟持片１１、１２の挟持部分よりも外側に配置されてあるので、睫毛を分散させた状態を保ったまま、整毛部４１ａが邪魔になることなく、下挟持片１２を上挟持片１１に密着させ、確実に睫毛を挟持させることができる。このような構成とすることで、睫毛を容易且つ確実に整えることができる。
【００３３】
また整毛部４１ａをコイルとすることで、整毛部４１ａの外周を角のない滑らかな曲線とすることができ、取り扱い時やメンテナンス時に鋭角な部分で肌を傷つけることを確実に防止でき、より安全なビューラーとすることができる。
なおコイルの材質としては、弾性を有する針金等の金属線材等を適宜用いることができる。また各コイルのピッチ幅は適宜変更可能であるが、睫毛の間隔を考慮して０．５ミリ間隔とすることが望ましい。また各コイルの高さも適宜変更可能であるが、２ミリ前後とすることが望ましい。
【００３４】
前記心棒４１ｂは、整毛部４１ａに取り付け、整毛部４１ａを連結用部４２に取り付けるためのものである。
図３〜図５に示すように、心棒４１ｂは細長い棒状部材で構成されてある。整毛部４１ａへの取り付けは、整毛部４１ａを構成する全ての輪の内側下部に心棒４１ｂを沿わせた状態で取り付ける。このように取り付けることで、コイルで構成される整毛部４１ａを心棒４１ｂに同調させて一体的に変形させることができる。また心棒４１ｂの整毛部４１ａへの取り付けは、接着剤による貼り付けや溶接等で相互を固定し、コイルを心棒４１ｂに同調させて変形できるものであれば如何なるものであってもよい。一方、心棒４１ｂと連結用部４２との取り付けは、接着剤による貼り付けや溶接等で相互を固定できるものであってもよいし、相互を着脱可能に取り付けるものの何れであってもよいが、相互を着脱可能に取り付けることが望ましい。このような構成とすることで、取り替えアダプター４０において更に睫毛整列手段４１のみの取り替えを可能とすることができると共に、睫毛整列手段４１、連結用部４２の清掃やメンテナンスを容易に行うことができる。
なお心棒４１ｂの材質は、如何なるものであってもよいし、その断面形状も必ずしも楕円に限られる必要はなく、適宜変更可能である。
【００３５】
前記連結用部４２は、睫毛整列手段４１を下挟持片１２と着脱可能に取り付けるためのものである。この連結用部４２は、図６に示すように、上部に睫毛整列手段４１を取り付けてあり、外側凸片４２ａ、内側凸片４２ｂを有する断面視コ字を下向きにしたような形状としてある。また連結用部４２は、下挟持片１２の外側凸片１２ａに嵌め合わせ且つ下挟持片１２の内側凸片１２ｂから連結用部４２の内側凸片４２ｂまでの間にその幅と略同一の替えゴム１３を嵌入させることで、下挟持片１２に固定される。このように連結用部４２を下挟持片１２に接着固定するのではなく、嵌め合わせるだけの構成とすることで、取り替えアダプター４０を下挟持片１２に対して着脱容易なものとすることができる。よって取り替えアダプター４０の掃除やメンテナンスを容易に行うことができる。
なお連結用部４２の材質は如何なるものであってもよい。またその形状も必ずしも断面視コ字を下向きにしたような形状である必要はなく、下挟持片１２に着脱容易に取り付けることができるものであれば、如何なる形状であってもよい。
【００３６】
次に図７を参照して、本発明の実施形態に係るビューラー１における取り替えアダプター４０の変形例１について説明する。
本変形例１においては、整毛部４１ａの形状を実施形態におけるコイルとせず、一定のピッチを有する櫛歯とし、心棒４１ｂを用いずに連結用部４２の上面に同心円弧上に配置する構成としてある。その他の構成については前記本発明の実施形態に係るビューラー１と同じである。同一部材、同一機能を果たすものには同一番号を付し、以下の説明を省略する。
【００３７】
このように整毛部４１ａを一定のピッチを有する櫛歯とすることで、上下の挟持片１１、１２で睫毛を挟む際に櫛歯が睫毛の間に進入し、睫毛を１本若しくは少数本ずつにピッチ幅で確実に分散させることができる。よって上下の挟持片１１、１２で睫毛を挟持する際に、睫毛がダマになった状態で挟持されることを確実に防止し、放射状にセパレートされた状態で挟持させることができる。また櫛歯とすることで、睫毛を撫でるように梳かすことができ、睫毛の癖付けを容易且つ確実に行うことができる。
【００３８】
なお櫛歯の材質は、ゴム等の弾性材や針金等の金属線材等各種材料を用いることができるが、安全面や錆の付着等を考慮すればゴム等の弾性材を用いることが望ましい。また各櫛歯のピッチ幅は適宜変更可能であるが、睫毛の間隔を考慮して０．５ミリ間隔とすることが望ましい。また各櫛歯の高さも適宜変更可能であるが、２ミリ前後とすることが望ましい。また櫛歯は連結用部４２と別部材として成形され、連結用部４２に取り付けられるものや、連結用部４２と同一部材として一体的に成形されるものの何れであってもよい。
また櫛歯の断面形状も円形のみに限られるものではなく、適宜変更可能である。また櫛歯の角度も連結用部４２の上面に対して垂直である必要はなく、適宜変更可能である。
勿論、心棒４１ｂを用いて各櫛歯を一体的に心棒４１ｂに取り付けるような構成としてもよい。
【００３９】
次に図８を参照して、本発明の実施形態に係るビューラー１における取り替えアダプター４０の変形例２について説明する。
本変形例２においては、整毛部４１ａの形状を実施形態におけるコイルとせず、多数のリングを一定のピッチで並列させてある。その他の構成については前記本発明の実施形態に係るビューラー１と同じである。同一部材、同一機能を果たすものには同一番号を付し、以下の説明を省略する。
【００４０】
このように整毛部４１ａを多数のリングを一定のピッチで並列させる構成とすることで、上下の挟持片１１、１２で睫毛を挟む際にリングが睫毛の間に進入し、睫毛を１本若しくは少数本ずつにピッチ幅で確実に分散させることができる。よって上下の挟持片１１、１２で睫毛を挟持する際に、睫毛がダマになった状態で挟持されることを確実に防止し、放射状にセパレートされた状態で挟持させることができる。またリングとすることで、整毛部４１ａの外周を角のない滑らかな曲線とすることができ、取り扱い時やメンテナンス時に鋭角な部分で肌を傷つけることを確実に防止でき、より安全な取り替えアダプター４０及びビューラー１とすることができる。
【００４１】
なおリングの材質としては、ゴム等の弾性材や針金等の金属線材等を適宜用いることができるが、安全面や錆の付着等を考慮すればゴム等の弾性材を用いることが望ましい。また各リングのピッチ幅は適宜変更可能であるが、睫毛の間隔を考慮して０．５ミリ間隔とすることが望ましい。また各リングの高さも適宜変更可能であるが、２ミリ前後とすることが望ましい。
【００４２】
次に図９を参照して、本発明の実施形態に係るビューラー１における取り替えアダプター４０の変形例３について説明する。
本変形例３においては、心棒４１ｂの形状を実施形態における細長い棒状部材とはせずに、細長い平板状部材としてある。また連結用部４２を用いる構成とはしていない。更に本変形例３においては、整毛部４１ａを取り付けた心棒４１ｂの両端を略上向きコ字状に曲げ、該コ字状部分に替えゴム１３を嵌め合わせた状態で心棒４１ｂを下挟持片１２の内側に嵌め合わせることで取り替えアダプター４０を下挟持片１２に取り付ける構成としてある。
その他の構成については前記本発明の実施形態に係るビューラー１と同じである。同一部材、同一機能を果たすものには同一番号を付し、以下の説明を省略する。
【００４３】
このような構成とすることで、連結用部４２を用いることなく、取り替えアダプター４０を下挟持片１２に着脱可能とすることができる。よって下挟持片１２への着脱が容易で、製造コストを抑えた取り替えアダプター４０とすることができる。また替えゴム１３を心棒４１ｂに嵌め込むだけで取り替えアダプター４０と替えゴム１３とを一体化させる構成とすることで、替えゴム１３のみの取り替えが容易となるばかりでなく、替えゴム１３を外した状態での取り替えアダプター４０の掃除やメンテナンスを容易に行うことができる。
また心棒４１ｂを平板状部材とすることで、替えゴム１３との接合箇所を面とすることができ、替えゴム１３の取り替えアダプター４０への嵌め合わせを確実且つ強固に行うことができる。
また心棒４１ｂを下挟持片１２の内側に嵌め合わせる構成とすることで、下挟持片１２の外側に部材がはみ出すことがない。よって特にマスカラ塗布時にビューラー１を使用する場合において、整毛部４１ａに付着した余分なマスカラが下挟持片１２の外部へとたれることを防止することができる。またデザイン的にもすっきりとした印象を与える取り替えビューラー１及び取り替えアダプター４０とすることができる。
【００４４】
替えゴム１３を心棒４１ｂに取り付けた状態で、替えゴム１３の高さが心棒４１ｂよりも高くなるように段差を設ける構成としてある。
このような構成とすることで、通常ビューラー１で睫毛を整える場合、上下の挟持片１１、１２で睫毛を挟んだ状態で把持部２０を上へ持ち上げるような動作や睫毛を梳かすような動作を数回繰り返し睫毛を整えるところ、心棒４１ｂが邪魔になることなく、替えゴム１３の上面全体を台座として睫毛をしっかりと挟むことができる。また整毛部４１ａと心棒４１ｂの間に睫毛が進入することを防止することができる。よって整毛部４１ａと心棒４１ｂの間に睫毛が進入することによって睫毛が抜けることを確実に防止することができる。
【００４５】
また段差部分に睫毛の毛先についた埃等のゴミを溜めることができる。従って替えゴム１３と心棒４１ｂとの段差部分を、いわば睫毛の毛先についた埃等のゴミ溜め部分として使用することができる。よって睫毛の毛先についた埃等のゴミを効果的に集めることができる。またマスカラ塗布時には、毛先についた余分なマスカラを段差でそぎ落とすことができ、一段と美しい睫毛を実現させることができる。また取り替えアダプター４０、替えゴム１３はそれぞれが着脱容易であると共に、下挟持片１２とも着脱容易であるので、溜まった埃等のゴミの掃除も容易に行うことができる。
なお心棒４１ｂを構成する平板状部材の材質としては、如何なるものを用いてもよいが、少なくとも心棒４１ｂのコ字状部分の最長幅が下挟持片１２の内壁幅と略同一であることが必要である。また替えゴム１３をコ字状部分に嵌め込んだ状態で、ある程度の強度で取り付けることができるような大きさであることが必要である。
【００４６】
次に図１０を参照して、本発明の実施形態に係るビューラー１の変形例４について説明する。
本変形例４においては、心棒４１ｂの形状を実施形態における細長い棒状部材とせず、細長い平板状部材としてある。また連結用部４２の形状を略下向きコ字状とはせずに、内部に空洞部を有する側面視略半円状の箱型としてある。またその空洞部に替えゴム１３を嵌め込み、その替えゴム１３の上面に整毛部４１ａを取り付けた心棒４１ｂを沿わすようにして連結用部４２の左右外側両面に着脱自在に取り付ける構成としてある。
その他の構成については前記本発明の実施形態に係るビューラー１と同じである。同一部材、同一機能を果たすものには同一番号を付し、以下の説明を省略する。
【００４７】
このような構成とすることで、替えゴム１３、心棒４１ｂをそれぞれ個別に連結用部４２に取り付けるだけで、替えゴム１３、整毛部４１ａ、連結用部４２を容易に一体化させることができる。よって替えゴム１３と整毛部４１ａを取り付けた連結用部４２を下挟持片１２に嵌め込むだけで、取り替えアダプター４０を下挟持片１２に着脱自在に取り付けることができる。また替えゴム１３、整毛部４１ａを個々に取り替え可能なものとすることができると共に、それぞれの掃除やメンテナンスを個別且つ容易に行うことができる。
【００４８】
更に替えゴム１３の形状を、外側を幅狭な下段とし、内側を幅広な上段とする段差を設けた階段形状としてある。また下段上面に心棒４１ｂを取り付けた状態で心棒４１ｂが上段上面よりも低くなるような構成としてある。このような構成とすることで、通常ビューラー１で睫毛を整える場合、上下の挟持片１１、１２で睫毛を挟んだ状態で把持部２０を上へ持ち上げるような動作や睫毛を梳かすような動作を数回繰り返し睫毛を整えるところ、心棒４１ｂが邪魔になることなく、替えゴム１３の上段全面を台座として睫毛をしっかりと挟むことができる。また整毛部４１ａと心棒４１ｂの間に睫毛が進入することを防止することができる。よって整毛部４１ａと心棒４１ｂの間に睫毛が進入することによって睫毛が抜けることを確実に防止することができる。
【００４９】
また替えゴム１３に段差を設けることで、その部分に睫毛の毛先についた埃等のゴミを溜めることができる。従ってゴム１３の段差部分を、いわば睫毛の毛先についた埃等のゴミ溜め部分として使用することができる。よって睫毛の毛先についた埃等のゴミを効果的に集めることができる。またマスカラ使用時には、毛先についた余分なマスカラを段差でそぎ落とすことができ、一段と美しい睫毛を実現させることができる。また取り替えアダプター４０、替えゴム１３は、それぞれが着脱容易であると共に、下挟持片１２とも着脱容易であるので、溜まったゴミの掃除も容易に行うことができる。
なお平板状部材及び連結用部４２の材質は如何なるものであってもよいが、少なくとも連結用部４２の半円の外周が下挟持片１２の内壁に沿うものであることが必要である。また替えゴム１３が連結用部４２に嵌め込んだ状態で、ある程度の強度で取り付けることができるような大きさであることが必要である。
【００５０】
以上のように本発明のビューラー１によれば、上下の挟持片１１、１２により睫毛を挟持する際に、睫毛を容易且つ確実に分散させた状態で挟持することができる。よって睫毛の癖付けや整毛を一段と容易且つ確実に行うことができる。また本発明のビューラー用取り替えアダプター４０によれば、睫毛を容易且つ確実に分散させることができるビューラー用取り替えアダプターとすることができる。
【００５１】
なお本発明は上記の実施形態に限られるものではなく、任意好適な様々な変更が可能である。例えば本実施形態に係るビューラー１における取り替えアダプター４０の変形例１においては、櫛歯は連結用部４２の上面に同心円弧上に配置する構成としてある。しかし、このような構成とせず、中心から両端部に向かうにつれて次第に内側へと配置するような構成とすることができる。このような構成とすることで、睫毛は瞼の中心から両端部に向かうにつれて短くなるところ、整毛部４１ａをよりしっかりと睫毛の間に進入させることができる。よって一段と容易且つ確実に睫毛を整えることが可能となる。
また整毛部４１ａは複数本の櫛歯からなる構成としてあるが、このような構成とせず、整毛部４１ａを外側へ出っ張った側面視三日月形状をした１部材とし、その上部のみを櫛歯状とする形状とすることができる。このような構成とすることで、上挟持片１１を瞼に当て下挟持片１２を上挟持片１１に近づけていくことで、まず上部に設けられる櫛歯により睫毛を確実に分散させることができる。その後、更に下挟持片１２を上挟持片１１に近づけることにより、三日月形状をした整毛部４１ａの傾斜で睫毛が自然に内向きにカールされる。よって一段と睫毛を癖付けさせ易くすることができる。従って一段と睫毛の癖付けを容易且つ確実に行うことが可能となる。
【図面の簡単な説明】
【００５２】
【図１】本発明の実施形態に係るビューラーの正面図である。
【図２】本発明の実施形態に係るビューラーの右側面図である。
【図３】本発明の実施形態に係るビューラーの成形部の拡大斜視図である。
【図４】本発明の実施形態に係るビューラーの成形部の拡大分解図である。
【図５】本発明の実施形態に係るビューラーの成形部の使用状態を示す部分拡大図で、（ａ）は正面図、（ｂ）は平面図、（ｃ）は右側面図である。
【図６】図３のＡ−Ａ断面図である。
【図７】本発明の実施形態に係るビューラーにおける取り替えアダプターの変形例１の部分拡大図である。
【図８】本発明の実施形態に係るビューラーにおける取り替えアダプターの変形例２の部分拡大図である。
【図９】本発明の実施形態に係るビューラーにおける取り替えアダプターの変形例３の部分拡大図である。
【図１０】本発明の実施形態に係るビューラーにおける取り替えアダプターの変形例４の部分拡大図である。
【符号の説明】
【００５３】
１        ビューラー
１０      成形部
１１      上挟持片
１１ａ    突起片
１２      下挟持片
１２ａ    外側凸片
１２ｂ    内側凸片
１２ｃ    挿通穴
１２ｄ    嵌入穴
１３      替えゴム
２０      把持部
２１      第１アーム
２２      第２アーム
３０      連結機構部
３１      支持体
３１ａ    嵌合穴
３２      連動部材
３３      ピン
４０      取り替えアダプター
４１      睫毛整列手段
４１ａ    整毛部
４１ｂ    心棒
４２      連結用部
４２ａ    外側凸片
４２ｂ    内側凸片
【要約】
【課題】睫毛を分散させて整えることができるビューラー及びビューラーに着脱容易で睫毛を分散させて整えることができるビューラー用取り替えアダプターの提供を課題とする。
【解決手段】睫毛を上下の挟持片１１、１２で挟み成形する成形部１０と、手で操作するための把持部２０と、成形部１０と把持部２０とを連結すると共に下挟持片１２を上下動自在とする連結機構部３０とから構成されるビューラー１であって、睫毛を上下の挟持片１１、１２で挟持する際に睫毛の間に進入し睫毛を分散させて整える睫毛整列手段を下挟持片１２に備える。
【選択図】      図１【図１】
0004119942.tif 000002
【図２】
0004119942.tif 000003
【図３】
0004119942.tif 000004
【図４】
0004119942.tif 000005
【図５】
0004119942.tif 000006
【図６】
0004119942.tif 000007
【図７】
0004119942.tif 000008
【図８】
0004119942.tif 000009
【図９】
0004119942.tif 000010
【図１０】
0004119942.tif 000011